(57)【要約】【課題】  エネルギーステーションの建設時に容易且つ安価に短期間で施工でき、撤去時にも容易且つ安価に短期間で撤去することが可能なエネルギーステーションの擁壁構造及び擁壁構造の施工方法を提供する。【解決手段】  下部擁壁立設部と下部擁壁底部とを有する逆Ｔ字型下部擁壁本体と、上部擁壁立設部と上部擁壁底部とを有するＬ字型上部擁壁本体と、を有し、前記逆Ｔ字型下部擁壁本体の下部擁壁立設部の上面に前記Ｌ字型上部擁壁本体の上部擁壁立設部が当接固定せしめられて側面視略Ｔ字型とされてなる擁壁本体を含み、前記逆Ｔ字型下部擁壁本体の下部擁壁底部が地盤に埋設され、前記逆Ｔ字型下部擁壁本体の下部擁壁立設部の内側面及び前記Ｌ字型上部擁壁本体の上部擁壁底部の下面の少なくとも一部に地盤改良層が当接せしめられてなる、エネルギーステーションの擁壁構造とした。【選択図】図１
2018080485.tif 000002
【特許請求の範囲】
【請求項１】
下部擁壁立設部と前記下部擁壁立設部の下部に設けられた下部擁壁底部とを有する逆Ｔ字型下部擁壁本体と、
上部擁壁立設部と前記上部擁壁立設部の下部に設けられた上部擁壁底部とを有するＬ字型上部擁壁本体と、を有し、
前記逆Ｔ字型下部擁壁本体の下部擁壁立設部の上面に前記Ｌ字型上部擁壁本体の上部擁壁立設部が当接固定せしめられて側面視略Ｔ字型とされてなる擁壁本体を含み、
前記逆Ｔ字型下部擁壁本体の下部擁壁底部が地盤に埋設され、
前記逆Ｔ字型下部擁壁本体の下部擁壁立設部の内側面及び前記Ｌ字型上部擁壁本体の上部擁壁底部の下面の少なくとも一部に地盤改良層が当接せしめられてなる、エネルギーステーションの擁壁構造。
【請求項２】
前記Ｌ字型上部擁壁本体がプレキャストコンクリートで構成されてなる、請求項１記載のエネルギーステーションの擁壁構造。
【請求項３】
請求項１又は２記載のエネルギーステーションの擁壁構造を施工するための方法であり、
前記逆Ｔ字型下部擁壁本体の下部擁壁底部が地盤に埋設されるように前記逆Ｔ字型下部擁壁本体を設置する工程と、
前記逆Ｔ字型下部擁壁本体の下部擁壁立設部の内側面の少なくとも一部に当接せしめられるように地盤改良層を形成する工程と、
前記逆Ｔ字型下部擁壁本体の逆Ｔ字型下部擁壁本体の下部擁壁立設部の上面に前記Ｌ字型上部擁壁本体の上部擁壁立設部を当接固定せしめて側面視略Ｔ字型の擁壁本体を形成する工程と、
を含む、エネルギーステーションの擁壁構造の施工方法。
【発明の詳細な説明】
【技術分野】
【０００１】
本発明は、自動車にガソリンや水素等のエネルギーを供給するためのエネルギーステーションの擁壁構造及び擁壁構造の施工方法に関する。
【背景技術】
【０００２】
自動車にガソリンや水素等のエネルギーを供給するためのエネルギーステーションは、危険物取り扱いの安全性などを考慮することから、一般住宅などの通常の建築物とは異なり、より頑丈な擁壁構造が必要とされる。一方で、建て替え時の利便性なども考慮する必要がある。
【０００３】
従来のエネルギーステーションの擁壁構造の例として、ガソリンスタンドの一般的な擁壁構造の例を図３に示す。従来のガソリンスタンドの擁壁構造１００は、地盤１０２に鋼管杭などの支持杭１０４を打ち込み（又は柱状改良工事）、前記支持杭１０４の上部に、コンクリート製の側面視がＬ字型の構造物１０６を設け、側面視Ｌ字型構造物１０６の底部１０８の上面側及び、側面視Ｌ字型構造物１０６の立設部１１０の内側に第一地盤改良層１１２が形成される。第一地盤改良層１１２は、セメントと骨材を混合して固化してなる層である。
【０００４】
また、第一地盤改良層１１２の内側にはさらに土にセメントを混ぜて地盤改良した第二地盤改良層１１４が形成される。そして、前記第二地盤改良層１１４の上部に舗装構造１１６が形成される。舗装構造１１６としては、例えば第二地盤改良層１１４の上に、順に、配管が埋設される埋土層、砂利層、土間コンクリートがそれぞれ形成されて舗装層１１６が構成される。擁壁構造１００の外側の地表面から側面視Ｌ字型構造物１０６の立設部１１０の上面までの高さＴ２は、例えば２ｍである。なお、符号１１８は側溝である。
【０００５】
一方、ガソリンスタンドは、借地権によって土地を一定期間借りて営業を開始することも多いため、借地契約終了後は敷地を原状回復する必要があるが、かかる支持杭１０４を引き抜く工事には、かなりコストがかかる。
【０００６】
このように、従来のガソリンスタンドの擁壁構造では、ガソリンスタンドの建設時には支持杭１０４を打ち込む費用がかかり、ガソリンスタンドの撤去時には支持杭１０４を引抜く工事がかかるという問題があった。
【０００７】
例えば、特許文献１には、プレキャストコンクリート塀・擁壁の施工法が開示されている。しかしながら、擁壁は防火壁とは異なり、土留としての機能も有するため、土の圧力も考慮して長期にわたって強い力に耐える構造とする必要があるが、特許文献１では基本的に防火壁と擁壁とで同様の構造を想定しており、長期間の使用を考慮すると問題がある。
【先行技術文献】
【特許文献】
【０００８】
【特許文献１】特開平１０−１９５４
【発明の概要】
【発明が解決しようとする課題】
【０００９】
本発明は、上記従来技術に鑑みてなされたもので、従来工法によるエネルギーステーションの擁壁構造と同様の機能及び安全性を有し、エネルギーステーションの建設時に容易且つ安価に短期間で施工でき、撤去時にも容易且つ安価に短期間で撤去することが可能なエネルギーステーションの擁壁構造及び擁壁構造の施工方法を提供することを目的とする。
【課題を解決するための手段】
【００１０】
上記課題を解決するために、本発明のエネルギーステーションの擁壁構造は、下部擁壁立設部と前記下部擁壁立設部の下部に設けられた下部擁壁底部とを有する逆Ｔ字型下部擁壁本体と、上部擁壁立設部と前記上部擁壁立設部の下部に設けられた上部擁壁底部とを有するＬ字型上部擁壁本体と、を有し、前記逆Ｔ字型下部擁壁本体の下部擁壁立設部の上面に前記Ｌ字型上部擁壁本体の上部擁壁立設部が当接固定せしめられて側面視略Ｔ字型とされてなる擁壁本体を含み、前記逆Ｔ字型下部擁壁本体の下部擁壁底部が地盤に埋設され、前記逆Ｔ字型下部擁壁本体の下部擁壁立設部の内側面及び前記Ｌ字型上部擁壁本体の上部擁壁底部の下面の少なくとも一部に地盤改良層が当接せしめられてなる、エネルギーステーションの擁壁構造である。
【００１１】
前記Ｌ字型上部擁壁本体がプレキャストコンクリートで構成されてなるのが好適である。
【００１２】
本発明のエネルギーステーションの擁壁構造の施工方法は、前記逆Ｔ字型下部擁壁本体の下部擁壁底部が地盤に埋設されるように前記逆Ｔ字型下部擁壁本体を設置する工程と、前記逆Ｔ字型下部擁壁本体の下部擁壁立設部の内側面の少なくとも一部に当接せしめられるように地盤改良層を形成する工程と、前記逆Ｔ字型下部擁壁本体の逆Ｔ字型下部擁壁本体の下部擁壁立設部の上面に前記Ｌ字型上部擁壁本体の上部擁壁立設部を当接固定せしめて側面視略Ｔ字型の擁壁本体を形成する工程と、を含む、エネルギーステーションの擁壁構造の施工方法である。
【発明の効果】
【００１３】
本発明によれば、従来工法によるエネルギーステーションの擁壁構造と同様の機能及び安全性を有し、エネルギーステーションの建設時に容易且つ安価に短期間で施工でき、撤去時にも容易且つ安価に短期間で撤去することが可能なエネルギーステーションの擁壁構造及び擁壁構造の施工方法を提供することができるという著大な効果を奏する。
【図面の簡単な説明】
【００１４】
【図１】本発明のエネルギーステーションの擁壁構造の要部断面概略図である。
【図２】擁壁本体を示す要部斜視図である。
【図３】従来のエネルギーステーションの擁壁構造の要部断面概略図である。
【発明を実施するための形態】
【００１５】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１６】
図１に本発明のエネルギーステーションの擁壁構造１０の要部断面概略図を示す。
【００１７】
本発明のエネルギーステーションの擁壁構造１０として、ガソリンスタンドの擁壁構造の例を示す。エネルギーステーションの擁壁構造１０は、下部擁壁立設部１２と前記下部擁壁立設部１２の下部に設けられた下部擁壁底部１４とを有する逆Ｔ字型下部擁壁本体１６と、上部擁壁立設部１８と前記上部擁壁立設部１８の下部に設けられた上部擁壁底部２０とを有するＬ字型上部擁壁本体２２と、を有し、前記逆Ｔ字型下部擁壁本体１６の下部擁壁立設部１２の上面２４に前記Ｌ字型上部擁壁本体２２の上部擁壁立設部１８が当接固定せしめられて、図２によくしめされるような側面視略Ｔ字型とされてなる擁壁本体２６を含むように構成されている。
【００１８】
そして、前記逆Ｔ字型下部擁壁本体１６の下部擁壁底部１４が地盤２８に埋設され、前記逆Ｔ字型下部擁壁本体１６の下部擁壁立設部１２の内側面３４及び前記Ｌ字型上部擁壁本体２２の上部擁壁底部２０の下面３６の少なくとも一部に地盤改良層３０が当接せしめられてなる。地盤改良層３０としては、例えば土をセメントと混合して地盤改良したものを地盤改良層３０として使用できる。
【００１９】
前記Ｌ字型上部擁壁本体２２は、プレキャストコンクリートで構成されてなるのが好適である。プレキャストコンクリートとは、工場などであらかじめ製造されたコンクリートを指す。Ｌ字型上部擁壁本体２２は、工場で予め製造されたものを使用するのが好ましい。また、上記した側面視Ｌ字型構造物１０６もＬ字型上部擁壁本体２２として使用可能である。
【００２０】
また、前記Ｌ字型上部擁壁本体２２の上部擁壁底部２０の上面３８には舗装構造３２が形成されている。舗装構造３２としては、例えば上部擁壁底部２０の上面３８に、順に、配管が埋設される埋土層、砂利層、土間コンクリートがそれぞれ形成されて舗装層３２が構成される。エネルギーステーションの擁壁構造であればいずれも適用可能である。擁壁構造１０の外側の地表面から前記Ｌ字型上部擁壁本体２２の上部擁壁立設部１８の上面までの高さＴ１は、例えば２ｍである。なお、符号３５は側溝であり、４０は外壁や防火壁などの壁である。
【００２１】
前記逆Ｔ字型下部擁壁本体１６は、コンクリート製であり、地盤２８の土に対する土留めの役割を果たす。また、前記逆Ｔ字型下部擁壁本体１６の下部擁壁立設部１２の内側面３４及び前記Ｌ字型上部擁壁本体２２の上部擁壁底部２０の下面３６の少なくとも一部に当接せしめられた地盤改良層３０は、杭の代わりとしての役割も果たす。このため、本発明では、従来のように支持杭を打ち込む必要がない。本発明のエネルギーステーションの擁壁構造は、ガソリンスタンドや水素ステーションなど、自動車にエネルギーを供給するためのエネルギーステーションに適用できる。
【００２２】
前記逆Ｔ字型下部擁壁本体１６は、プレキャストコンクリートでもよいし、現場施工型のコンクリートでもよい。
【００２３】
また、前記逆Ｔ字型下部擁壁本体１６の下部擁壁立設部１２の上面２４に前記Ｌ字型上部擁壁本体２２の上部擁壁立設部１８が当接固定せしめるにあたっては、当接固定できればよいものであるから特別の限定はない。例えば、前記逆Ｔ字型下部擁壁本体１６の下部擁壁立設部１２の上面２４から鉄筋を突出せしめておいて、前記鉄筋を前記Ｌ字型上部擁壁本体２２の下面に形成させた溝部などに埋没せしめてセメントで固めたりしてもよい。そのほか、コンクリート同士、特に鉄筋コンクリート同士を連結したり、接合したりする公知の手段であれば、適用可能である。
【００２４】
本発明のエネルギーステーションの擁壁構造の施工方法は、本発明のエネルギーステーションの擁壁構造１０を施工するための方法であり、前記逆Ｔ字型下部擁壁本体１６の下部擁壁底部１４が地盤２８に埋設されるように前記逆Ｔ字型下部擁壁本体１６を設置する工程と、前記逆Ｔ字型下部擁壁本体１６の下部擁壁立設部１２の内側面３４の少なくとも一部に当接せしめられるように地盤改良層３０を形成する工程と、前記逆Ｔ字型下部擁壁本体１６の下部擁壁立設部１２の上面２４に前記Ｌ字型上部擁壁本体２２の上部擁壁立設部１８を当接固定せしめて側面視略Ｔ字型の擁壁本体２６を形成する工程と、を含む、施工方法である。このようにすれば、地盤に杭を打ち込む必要が無いため、エネルギーステーションの建設時に容易且つ安価に短期間で施工でき、エネルギーステーションの撤去時にも容易且つ安価に短期間で撤去することができる利点がある。
【符号の説明】
【００２５】
１０：本発明のエネルギーステーションの擁壁構造、１２：下部擁壁立設部、１４：下部擁壁底部、１６：逆Ｔ字型下部擁壁本体、１８：上部擁壁立設部、２０：上部擁壁底部、２２：Ｌ字型上部擁壁本体、２４：下部擁壁立設部の上面、２６：擁壁本体、２８，１０２：地盤、３０：地盤改良層、３２，１１６：舗装構造、３４：下部擁壁立設部の内側面、３５，１１８：側溝、３６：Ｌ字型上部擁壁本体の上部擁壁底部の下面、３８：上部擁壁底部の上面、４０：壁、１００：従来のガソリンスタンドの擁壁構造、１０４：支持杭、１０６：側面視Ｌ字型構造物、１０８：側面視Ｌ字型構造物の底部、１１０：側面視Ｌ字型構造物の立設部、１１２：第一地盤改良層、１１４：第二地盤改良層、Ｔ１，Ｔ２：高さ。
【図１】
2018080485.tif 000003
【図２】
2018080485.tif 000004
【図３】
2018080485.tif 000005